(57)【要約】【目的】着用者の頭部に脱着自在に被冠せしめるカツラの脱着装置と、該脱着装置の使用方法を提供する。【構成】着用者の頭部に被冠するネット状シートを含む皿状シートに疑毛を植毛して成るカツラにおいて、皿状シートの内側面に固着したカツラ側の面ファスナと、着用者の頭部に取付けられた頭部側の面ファスナとを、相互に着脱自在に係着せしめるように構成しており、頭部側の面ファスナは、複数の挿通孔を開設することにより、着用者の頭部の毛髪を該挿通孔に挿通せしめると共に、挿通された毛髪を結束することにより毛髪を頭部側の面ファスナに固着せしめ構成である。【選択図】        図４
2004197268.tif 000002
【特許請求の範囲】
【請求項１】
着用者の頭部に被冠するネット状シートを含む皿状シートに疑毛を植毛して成るカツラにおいて、
皿状シートの内側面に固着したカツラ側の面ファスナと、着用者の頭部に取付けられた頭部側の面ファスナとを、相互に着脱自在に係着せしめるように構成しており、
頭部側の面ファスナは、複数の挿通孔を開設することにより、着用者の頭部の毛髪を該挿通孔に挿通せしめると共に、挿通された毛髪を結束することにより毛髪を頭部側の面ファスナに固着せしめるように構成されて成ることを特徴とするカツラの脱着装置。
【請求項２】
外側面に擬毛を植毛した皿状シートの内側面にカツラ側の面ファスナを固着したカツラ本体と、着用者の頭部に取付けられた頭部側の面ファスナとを備え、カツラ本体を着用者の頭部に被冠せしめるに際して、カツラ側の面ファスナを頭部側の面ファスナに着脱自在に係着せしめるように構成したカツラの脱着装置において、
頭部側の面ファスナは、着用者の頭部の毛髪を挿通せしめるための複数の挿通孔を開設しており、
頭部側の面ファスナを着用者の頭部に取付けるに際して、
先端に鉤部を備えた治具針を挿通孔に挿通せしめた後、毛髪の毛根と毛先の間の中途部分を鉤部に係止した状態で治具針と共に挿通孔から引抜くことにより、挿通孔から引出された毛髪により第１ループ部を形成せしめる工程と、
治具針を第１ループ部に挿通せしめた後、前記第１ループ部から毛先に至り連続する毛髪の毛先側部分を鉤部に係止した状態で治具針と共に第１ループ部から引抜くことにより、第１ループ部から引出された毛髪により第２ループ部を形成せしめる工程と、
引き続き、毛先が第１ループ部から脱出するまで、第２ループ部を前記引抜き方向に引抜くことにより、第１ループ部を挿通する被結束部分のまわりで第１ループ部を縮小せしめることにより結束部を形成する工程と、
前記毛髪の結束部を解けないように接着剤で接着し及び／又は結束部を頭部側の面ファスナの表面に接着剤で接着する工程とから成ることを特徴とするカツラの脱着装置の使用方法。
【発明の詳細な説明】
【０００１】
【発明の属する技術分野】
本発明は、着用者の頭部に脱着自在に被冠せしめるカツラの脱着装置と、該脱着装置の使用方法に関する。
【０００２】
【従来の技術】
従来より、着用者の頭部に被冠するネット状シートを含む皿状シートに疑毛を植毛した脱着自在なカツラが公知である。
【０００３】
このようなカツラを着用者の頭部に脱着自在とするための脱着装置は、種々の構成のものが知られているが、例えば、カツラ側の面ファスナを皿状シートの内側面に固着し、頭部側の面ファスナを着用者の頭部に取付け、カツラを着用者の頭部に被冠せしめた状態で、頭部側の面ファスナに対してカツラ側の面ファスナを着脱自在に係着せしめるように構成したものが知られている。
【０００４】
この際、頭部側の面ファスナは、裏面のほぼ全面に粘着剤層を備えており、着用者の頭部における地肌又は毛髪（地毛）の上に重ねられ、粘着剤を介して直接に粘着されている。
【０００５】
【発明が解決しようとする課題】
然しながら、頭部側の面ファスナの裏面に設けた粘着剤層を着用者の頭部の地肌に粘着する場合、当然のことながら地肌に粘着剤が接触する。また、該面ファスナを毛髪に重ね合わせて粘着する場合でも、粘着剤が頭部の地肌に接触する虞れが大である。
【０００６】
このため、頭部の地肌が粘着剤によりタダレやカブレを生じ、着用者がかゆみに耐えられないばかりか、皮膚の炎症により健康を害するという問題がある。
【０００７】
しかも、頭部側の面ファスナは、粘着剤層により粘着されているに過ぎないため、強く引っ張ると、剥離したり、位置ズレを生じるという問題があり、更に、浴用による洗髪を繰返すと、粘着剤が粘着力を劣化し、頭部側の面ファスナを脱落してしまうという問題がある。
【０００８】
【課題を解決するための手段】
本発明は、上述の問題を解決したカツラの脱着装置及び該装置の使用方法を提供するものである。
【０００９】
そこで、本発明のカツラの脱着装置が手段として構成したところは、着用者の頭部に被冠するネット状シートを含む皿状シートに疑毛を植毛して成るカツラにおいて、皿状シートの内側面に固着したカツラ側の面ファスナと、着用者の頭部に取付けられた頭部側の面ファスナとを、相互に着脱自在に係着せしめるように構成しており、頭部側の面ファスナは、複数の挿通孔を開設することにより、着用者の頭部の毛髪を該挿通孔に挿通せしめると共に、挿通された毛髪を結束することにより毛髪を頭部側の面ファスナに固着せしめるように構成されて成る点にある。
【００１０】
また、本発明のカツラの脱着装置の使用方法が手段として構成したところは、外側面に擬毛を植毛した皿状シートの内側面にカツラ側の面ファスナを固着したカツラ本体と、着用者の頭部に取付けられた頭部側の面ファスナとを備え、カツラ本体を着用者の頭部に被冠せしめるに際して、カツラ側の面ファスナを頭部側の面ファスナに着脱自在に係着せしめるように構成したカツラの脱着装置において、頭部側の面ファスナは、着用者の頭部の毛髪を挿通せしめるための複数の挿通孔を開設しており、頭部側の面ファスナを着用者の頭部に取付けるに際して、先端に鉤部を備えた治具針を挿通孔に挿通せしめた後、毛髪の毛根と毛先の間の中途部分を鉤部に係止した状態で治具針と共に挿通孔から引抜くことにより、挿通孔から引出された毛髪により第１ループ部を形成せしめる工程と、治具針を第１ループ部に挿通せしめた後、前記第１ループ部から毛先に至り連続する毛髪の毛先側部分を鉤部に係止した状態で治具針と共に第１ループ部から引抜くことにより、第１ループ部から引出された毛髪により第２ループ部を形成せしめる工程と、引き続き、毛先が第１ループ部から脱出するまで、第２ループ部を前記引抜き方向に引抜くことにより、第１ループ部を挿通する被結束部分のまわりで第１ループ部を縮小せしめることにより結束部を形成する工程と、前記毛髪の結束部を解けないように接着剤で接着し及び／又は結束部を頭部側の面ファスナの表面に接着剤で接着する工程とから成る点にある。
【００１１】
【発明の実施の形態】
以下図面に基づいて本発明の好ましい実施形態を詳述する。
【００１２】
図１は、カツラの１例を示しており、カツラ１は、着用者の頭部に被冠せしめられるネット状シートを含む皿状シート２に擬毛３を植毛することにより構成されている。
【００１３】
図２は、カツラ１を着用者４の頭部４ａに脱着自在に装着せしめるための脱着装置を概略的に示しており、脱着装置は、カツラ１における皿状シート２の内側面に固着したカツラ側の面ファスナ５と、着用者４の頭部４ａに取付けられた頭部側の面ファスナ６とから構成されている。
【００１４】
カツラ側の面ファスナ５と、頭部側の面ファスナ６は、公知の面ファスナのように、一方の面ファスナが多数のキノコ形又は鉤形の突起を全面的に設け、他方の面ファスナが多数のループ等を全面的に設けたものとされ、相互に対面する面ファスナ５、６を着脱自在に係着せしめるように構成されている。
【００１５】
カツラ側の面ファスナ５と頭部側の面ファスナ６は、カツラ１を頭部４ａの所定位置に装着した状態で相互に対面されるように配置することが必要であり、図例の場合、それぞれ頭部４ａの左右に位置するように配置せしめられているが、これに限られるものではなく、例えば、頭部４ａに対して放射状に配置せしめるように構成しても良い。
【００１６】
尚、カツラ側の面ファスナ５は、皿状シート２の内側面に縫糸を介して縫着しても良いが、皿状シート２の内側面を被覆する樹脂ベースに埋設状に固着しても良い。
【００１７】
頭部側の面ファスナ６は、図３に示すように、ほぼ全面にわたり複数の挿通孔７を開設している。図３（Ａ）に示す実施例において、挿通孔７は、面ファスナ６を貫通するように打抜き形成した窓孔８により構成されており、図３（Ｂ）に示す実施例において、挿通孔７は、面ファスナ６に貫通するように切込み形成したスリット９により構成されている。図３（Ａ）及び図３（Ｂ）の何れの実施例においても、テープ状の面ファスナ素材６ａに対して挿通孔７を等間隔に形成した後、該面ファスナ素材６ａを所定長さＬのものとして分断することにより、頭部側の面ファスナ６が得られる。
【００１８】
図４は、頭部側の面ファスナ６を着用者４の頭部４ａに対して、該頭部４ａの毛髪を利用して取付けるための方法を示している。通常、カツラ１を必要とする着用者４であっても、頭部４ａの所謂裾の部分に残存する毛髪を有しているから、このような毛髪を上方に引き上げることにより面ファスナ６を取付けることが可能である。尚、取付作業に際しては、先端に鉤部１０ａを備えた治具針１０が使用される。
【００１９】
先ず、面ファスナ６を着用者４の頭部４ａにおける所定位置に配置した状態で、治具針１０の先端を挿通孔７に挿通せしめた後、毛髪１１の毛根１１ａと毛先１１ｂの間の中途部分１１ｃを鉤部１０ａに係止した状態で治具針１０と共に挿通孔７から引き抜く。これにより、図４（Ａ）に示すように、挿通孔７から引出された毛髪により第１ループ部１２が形成される。尚、図面は、毛髪１１を１本状態で示しているが、２〜３本等の複数本の毛髪１１、１１を束ねていることが好ましく、図面は、そのように理解されたい。
【００２０】
次いで、治具針１０を第１ループ部１２に挿通せしめた後、第１ループ部１２から毛先１１ｂに至り連続する毛髪１１の毛先側部分を鉤部１０ａに係止した状態で治具針１０と共に第１ループ部１２から引き抜く。これにより、図４（Ｂ）に示すように、第１ループ部１２から引出された毛髪により第２ループ部１３が形成される。
【００２１】
そこで、引き続き、毛先１１ｂが第１ループ部１２から脱出するまで、第２ループ部１３を前記引抜き方向に引き抜く。これにより、図４（Ｃ）に示すように、第１ループ部１２を挿通する被結束部分１４のまわりで第１ループ部１２が縮小せしめられ、結束部１５が形成される。即ち、面ファスナ６は、毛髪１１を緊締することにより、頭部４ａの上で自由に遊動しないように、しっかりと固定される。
【００２２】
毛髪１１は、表面が平滑であり、結束部１５が弛み易いため、その後、結束部１５が解けないように、瞬間接着剤等の接着剤１６により接着せしめる。この接着剤１６による接着は、１滴又は数滴によるワンポイント接着であり、結束部１５（被結束部分１４とこれを緊締する第１ループ部１２の部分）の上に塗布することにより接着するか、あるいは、それと併せて又は選択的に、結束部１５を面ファスナ６の表面に接着せしめるものであれば良い。
【００２３】
このようにして着用者４の頭部４ａに対する頭部側の面ファスナ６の取付けを完了すると、カツラ１を頭部４ａに被冠せしめるだけで、カツラ１は脱着自在に装着される。即ち、図５（Ａ）に示すように、カツラ側の面ファスナ５が頭部側の面ファスナ６に着脱自在に係着する。
【００２４】
ところで、この状態から時間の経過と共に着用者４の毛髪が伸びると、同様に頭部側の面ファスナ６を取付けた毛髪１１も伸びるため、図５（Ｂ）に示すように、頭部側の面ファスナ６は、遊動自在となり、カツラ側の面ファスナ５に対面し難くなる。
【００２５】
そこで、毛髪が伸びた後、頭部側の面ファスナ６を再び頭部４ａに固定させるためには、図５（Ｃ）に示すように、毛髪１１の成長した弛み部分１１ｄはそのままとして、別の新たな毛髪１１Ａを挿通孔７に挿通せしめ、上述した方法と同様の方法により、新たな毛髪１１Ａを介して面ファスナ６を固定すれば良い。
【００２６】
或いは、図５（Ｄ）に示すように、左右一対の面ファスナ６、６を上方に引き上げ、毛髪１１の成長した弛み部分１１ｄを緊張せしめれば、左右における一対の面ファスナ６、６のバランスがとれ（一方の面ファスナ６が下がろうとして他方の面ファスナ６はそれ以上に上昇しない）、これにより毛髪１１の伸びに対応せしめることができ、カツラ１を所定の位置に装着することができる。
【００２７】
【発明の効果】
従来のカツラにおける脱着装置が頭部側の面ファスナを粘着剤により粘着せしめる構成であるため、頭部の地肌に粘着剤によるタダレやカブレを生じる問題があり、しかも、剥離し易いという問題があるのに対して、本発明によれば、このような粘着剤を使用せず、頭部側のファスナ６に開設した挿通孔７を介して毛髪１１を結束せしめる構成であるから、着用者４の頭部４ａの皮膚に炎症等の障害を生じることがなく、しかも、頭部側のファスナ６を頭部４ａに対して、しっかりと安定した状態で取付けることができる点において優れている。
【図面の簡単な説明】
【図１】本発明の脱着装置を設ける前の状態のカツラの１例を示しており、（Ａ）は平面視の斜視図、（Ｂ）は底面視の斜視図である。
【図２】本発明の脱着装置を設けた状態のカツラの１例を着用者と共に示す斜視図である。
【図３】頭部側の面ファスナの実施形態を示しており、（Ａ）は第１実施例を示す斜視図、（Ｂ）は第２実施例を示す斜視図である。
【図４】頭部側の面ファスナの取付け工程を示しており、（Ａ）（Ｂ）（Ｃ）は順に取付工程を示す斜視図である。
【図５】本発明の脱着装置によりカツラを着用者の頭部に装着せしめた状態を示しており、（Ａ）は正常な状態を示す説明図、（Ｂ）は毛髪が伸びた状態を示す説明図、（Ｃ）は新たな毛髪により取付け直した状態を示す説明図、（Ｄ）は左右一対の面ファスナを引き上げることによりカツラを装着し直した状態を示す説明図である。
【符号の説明】
１    カツラ
２    皿状シート
３    擬毛
４    着用者
４ａ  頭部
５    カツラ側の面ファスナ
６    頭部側の面ファスナ
７    挿通孔
１０    治具針
１０ａ  鉤部
１１    毛髪
１１ａ  毛根
１１ｂ  毛先
１１ｃ  中途部分
１２    第１ループ部
１３    第２ループ部
１４    被結束部分
１５    結束部
１６    接着剤
【図１】
2004197268.tif 000003
【図２】
2004197268.tif 000004
【図３】
2004197268.tif 000005
【図４】
2004197268.tif 000006
【図５】
2004197268.tif 000007